(57)【要約】      （修正有）【課題】シートベルトホルダーを所定の位置に常在させるとともに，移動阻止の状態に設定されている状態でシートベルトを引っ張った場合は，シートベルトは順方向，ならびに逆方向の何れにも移動を阻止する。さらに，使い勝手に優れた，簡単，小型，低価格なシートベルトホルダーを実現する。【解決手段】シートベルトの振れによりシートベルトの移動が阻害され難いシートベルトの装着部を備えるシートベルトホルダーを自動車の内壁部で，かつシートベルトの挿通孔と収納部との間に取付材を用いて固定することにより，シートベルトホルダーを常に所定の位置に常在させるとともに，該シートベルトホルダーに，挿通孔に対して収納部側のシートベルトを装着することにより，吊掛具を通してのシートベルトの移動を阻止する。【選択図】図１
0003128553.tif 000002
【実用新案登録請求の範囲】
【請求項１】
収納部から引き出され，吊掛具の挿通孔を通して固定具に繋がる自動車のシートベルトにおいて，シートベルトの振れによりシートベルトの移動が阻害され難いシートベルトの装着部を備えるシートベルトホルダーを，自動車の内壁部で，かつシートベルトの挿通孔と収納部との間に取付材を用いて固定し，該シートベルトホルダーに，挿通孔に対して収納部側のシートベルトを装着することにより，前記吊掛具を通してのシートの移動を阻止することを特徴とするシートベルトホルダー。
【考案の詳細な説明】
【技術分野】
【０００１】シートベルトを装着した状態で長時間の自動車運転を行うと，シートベルトの逆行により，胸などに強い圧迫感を受けて疲労感が増す傾向が有る。かかる問題を解決するために，シートベルトの逆行を阻止する種々の逆行阻止器具が提案されており，ある程度の効果は得ているものの，従来の構成ではシートベルトの逆行阻止器具が常に所定位置に常在している訳では無いため使い難いとともに，逆行を阻止に設定した状態でも，順方向には移動してしまうなど，種々の欠点を有していた。しかるに本考案では，本提案のシートベルトホルダーを挿通孔と収納部との間の自動車の内壁部に取付材で固定して，挿通孔に対して，収納部側のシートベルトを装着することにより，シートベルトホルダーは常に所定の場所に常在するとともに，移動阻止に設定した状態では，順方向へも逆方向へも移動を阻止するシートベルトホルダーに関する。
【背景技術】
【０００２】従来のシートベルトの逆行阻止器具は，挿通孔の近傍で挿通孔に対して固定具側のシートベルトを装着して逆行阻止状態に設定することにより，逆行阻止器具がシートベルトの挿通孔より大きいため，逆行阻止器具は挿通孔で止められて，シートベルトの逆行が阻止される。このような従来の方法では，逆行阻止器具が逆行阻止状態に設定されていても，シートベルトを順方向に引っ張れば，シートベルトは移動の阻止手段が無いため，順方向に移動してしまい，設定したシートベルトの阻止状態が最適で有るか否かの判断がし難い欠点を有しているとともに，逆行阻止器具の常在する位置が定まっていないため，逆行阻止器具は逆行阻止状態が解除されるとシートベルトの引き戻しによって挿通孔近傍に戻されるが，再びシートベルトを装着するためシートベルトを引き出すと，シートベルトとともに逆行阻止器具も移動するため，逆行阻止状態に設定する場合は，逆行阻止器具を改めて挿通孔の近傍に手で戻して設定することが必要となり大変面倒であるとともに，逆行阻止器具が邪魔にならないように小型に作られているため，逆行阻止の設定，解除が極めてやりにくいなど，種々の欠点を有している。
【考案が解決しようとする課題】
【０００３】本考案は，シートベルトホルダーを所定の位置に常在させるとともに，移動阻止の状態に設定されている状態でシートベルトを引っ張った場合は，シートベルトは順方向，ならびに逆方向の何れにも移動を阻止する。さらに，シートベルトは装着者の体形や座る位置などによって位置が振れるため，シートベルトの振れによりシートベルトの移動が阻害されないように装着部を構成するとともに，シートベルトの移動阻止，解除の設定がやり易い構造とするなど，使い勝手に優れた，簡単，小型，低価格なシートベルトホルダーを実現する。
【課題を解決するための手段】
【０００４】本考案によるシートベルトホルダーは，シートベルトの振れによりシートベルトの移動が阻害されないシートベルトの装着部を備えるシーベルトベルトホルダーを自動車の内壁部で，かつシートベルトの挿通孔と収納部との間に取付材を用いて固定することにより，シートベルトホルダーを常に所定位置に常在させるとともに，該シートベルトホルダーに，挿通孔に対して収納部側のシートベルトを装着することにより，吊掛具を通してのシートベルトの移動を阻止する。また，本考案によるシートベルトホルダーは所定位置で固定使用するため，必要以上に小型化する必要は無く，シートベルトの振れによりシートベルトの通過が阻害されない十分な幅と高さの装着部を構成するとともに，移動阻止の設定，解除の操作部も操作し易いサイズで構成する。
【考案の効果】
【０００５】本考案によるシートベルトホルダーは，自動車の内壁部で，かつ挿通孔と収納部との間に常在させるため，シートベルトホルダーがシートベルト上を移動する煩わしさが無いとともに，移動阻止に設定された状態ではシートベルトは逆方向にも，順方向にも移動出来ないため，設定したシートベルトの移動阻止状態が適切であるか否かが容易に判断できる。また，シートベルトの横方向の振れに対して，シートベルトの移動が阻害されないように，シートベルトの装着部は適切な幅と高さを持たせてあるため，シートベルトはスムーズに移動できる。また，従来の逆行阻止器具では逆行阻止の設定，解除の操作部が小さ過ぎて操作し難いため，運転者が車から降りる場合に，シートベルトを逆行阻止状態のままにする事が多く，このような状態ではシートベルトが複雑に絡み合い，再度シートベルトを装着する際に撚れた状態での装着となり，身体に違和感を与える場合が多いが，本考案では，操作部を適切なサイズで実現出来るため，操作性に優れ，車から降りる場合に阻止状態のままにすることも無くなる。以上説明するように本考案は，従来の逆行阻止器具が抱えていた全ての欠点を一挙に解決できる，新規なシートベルトホルダーである。
【考案を実施するための最良の形態】
【０００６】図１はシートベルトホルダーにシートベルトを装着した概念図であり，１はシートベルト，２は吊掛具，３は挿通孔，４は収納部，５は固定具，６はシートベルトホルダーを示す。シートベルトホルダー６は車の内壁部で，挿通孔３と収納部４の間に接着テープなどの取付材で固定され，挿通孔に対して収納部側のシートベルトをシートベルトホルダーに装着する。シートベルトは装着する人の体形や座る座席位置などで振れるが，挿通孔に対して収納部側の方が，固定具側より左右の振れは少なく，車の壁面からの距離の振れは殆ど無いため，シートベルトの安定した移動を確保し易い優位性がある。シートベルトホルダーは所定の位置に固定して常在するため，使い易いとともに，シートベルトを移動阻止に設定した場合は，シートベルトは順方向にも，逆方向にも移動できない。図２はシートベルトホルダーの概観斜視図を示す。シートベルトホルダー６は，ホルダーベース７とホルダーカバー８，ならびに取付材１０で構成され，シートベルトの装着口９ならびに移動部はシートベルトの振れにより，シートベルトの通過を阻害しない幅と高さに設定する。図３はシートベルトホルダーのホルダーベースとホルダーカバーを示す外観斜視図である。ホルダーベースには，シートベルトの移動を阻止，ならびに解除の制御を行う移動コントロールフィン１１が設けられており，移動コントロール摘み１２により，制御フィンが立てられると，フィンとホルダーカバーの間でシートベルトが挟まれてシートベルトの移動が阻止される。移動コントロール摘みで制御フィンが倒されると，ホルダーカバーとの間に隙間が作られて，シートベルトは移動可能な状態になる。操作性を重視して移動コントロール摘みは操作し易いサイズに構成する。取付材はホルダーカバー側に取り付けられており，車の内壁部にはホルダーカバーが取り付けられ，移動コントロール摘みは座席の方向を向く。ホルダーベースとホルダーカバーは取付突起１３と取付孔１４で取り付け一体化する。
【実施例】
【０００７】本考案の具体的な実施例を以下に示す。ホルダーベース７，ならびにホルダーカバー８はプラスチック材で構成し，シートベルトの振れに対する余裕度を考慮して，シートベルト挿入口９，ならびに移動部の幅は６０ｍｍ，高さは５ｍｍに設定した。ホルダーベースとホルダーカバーを一体化したシートベルトホルダーは縦横を８０×３５ｍｍ，高さを２０ｍｍのサイズとし，移動コントロール摘み１２は操作性を考慮して，ホルダーベースに対して１０ｍｍ突出させて構成した。また，取付材は接着テープに限定されず，樹脂や金属などで構成された留め具でも良い。上記する各種デイメンジョンは使用する構造，材質などで異なるとともに，素材もプラスチックに限定されるものでは無く，各種の樹脂材または金属などを使用でできる。またシートベルトの移動を制御する構造に関しても，樹脂によるフィンに限定されず，合成ゴムや金属との摩擦による移動阻止構造でも良いなど，本考案の趣旨を逸脱しない範囲で，種々変形実施が可能である。
【図面の簡単な説明】
【０００８】
【図１】シートベルトホルダーにシートベルトを装着した概念図
【図２】シートベルトホルダーの概観斜視図
【図３】ホルダーベースならびにホルダーカバーの概観斜視図
【符号の説明】
１シートベルト
２吊掛具
３挿通孔
４収納部
５固定具
６シートベルトホルダー
７ホルダーベース
８ホルダーカバー
９シートベルト装着口
１０取付材
１１移動コントロールフィン
１２移動コントロール摘み
１３取付突起
１４取付穴
【図１】
0003128553.tif 000003
【図２】
0003128553.tif 000004
【図３】
0003128553.tif 000005